(57)【特許請求の範囲】
【請求項１】
冷蔵庫本体と、
この本体の外郭を形成する外箱と、
前記本体の内壁を形成する内箱と、
前記外箱と前記内箱との間の空間に断熱材を充填発泡して形成した箱体を上下に区画し、前端部に凹部を設けた中仕切と、
この中仕切の前端部に設けられた化粧カバーと、
この化粧カバーの裏面に設けられ、該化粧カバーが結露しないように加熱する、アルミ箔上にはわせてなる結露防止ヒータと、
この結露防止ヒータと接続される前記本体側のリード線と、
前記結露防止ヒータと前記リード線とを接続し、前記アルミ箔からはずして前記凹部に収納された接続部と、
前記結露防止ヒータの裏面に設けられ、該結露防止ヒータを前記化粧カバーに密着させると共に、前記凹部を閉塞する前部断熱材とを備えたことを特徴とする冷蔵庫。
【請求項２】
冷蔵庫本体と、
この本体の外郭を形成する外箱と、
前記本体の内壁を形成する内箱と、
前記外箱と前記内箱との間の空間に断熱材を充填発泡して形成した箱体を上下に区画する中仕切と、
この中仕切の前端部に設けられた化粧カバーと、
この化粧カバーの裏面に設けられ、該化粧カバーが結露しないように加熱する、アルミ箔上にはわせてなる結露防止ヒータと、
この結露防止ヒータの裏面に設けられ、該結露防止ヒータを前記化粧カバーに密着させると共に、切欠き部を有する前部断熱材と、
前記結露防止ヒータと接続される前記本体側のリード線と、
前記結露防止ヒータと前記リード線とを接続し、前記アルミ箔からはずして前記切欠き部に収納された接続部とを備えたことを特徴とする冷蔵庫。
【請求項３】
冷蔵室を有する冷蔵庫本体と、
前記冷蔵室の開口部を２枚の扉によって開閉する観音開き式の扉装置と、
前記冷蔵室を気密に保つために前記一方の扉の非枢支側に設けられ、前端部に凹部を有する仕切体と、
この仕切体の前端部に設けられた化粧カバーと、
この化粧カバーの裏面に設けられ、該化粧カバーが結露しないように加熱する、アルミ箔上にはわせてなる結露防止ヒータと、
前記結露防止ヒータと接続される前記本体側のリード線と、
前記結露防止ヒータと前記リード線とを接続し、前記アルミ箔からはずして前記凹部に収納された接続部と、
前記結露防止ヒータの裏面に設けられ、該結露防止ヒータを前記化粧カバーに密着させると共に、前記凹部を閉塞する前部断熱材とを備えたことを特徴とする冷蔵庫。
【発明の詳細な説明】
【０００１】
【発明の属する技術分野】
この発明は、中仕切に結露防止ヒータを備えた冷蔵庫に関するものである。
【０００２】
【従来の技術】
従来より、冷凍室や冷蔵室などの一室に対して、上下方向に複数の容器を配し、該容器を引き出すための引き出し式扉を上下方向に複数設けた冷蔵庫がある。例えば、図１０、１１に示す従来の冷蔵庫において、前方に開口する冷蔵庫本体１は冷蔵庫の外郭を形成する鋼板製の外箱２、冷蔵庫の内壁を形成する合成樹脂製の内箱３、外箱２と内箱３との間に充填発泡された断熱材４で構成され、仕切壁１３、１４と充填発泡後に取付ける中仕切５によって上下方向に４室に区切られている。
【０００３】
中仕切５は中仕切上板６、中仕切下板７、中仕切上板６と下板７との間に位置する中仕切断熱材８で構成され、中仕切５の前端には鋼板を逆コ字状に成形した化粧カバー９を装着させ、化粧カバー９の裏面には結露防止ヒータ１０を貼付け、さらに裏面に前部断熱材１１を配置している。
【０００４】
図１２は従来の結露防止ヒータの外観図で、前記結露防止ヒータ１０は、あるパターンでアルミ箔１２上にはわせ、端部をリード線１０ａと接続して接続部１０ｂを形成している。
【０００５】
次に動作を説明する。
上記の構成において、前記結露防止ヒータ１０に電力を供給すると、該結露防止ヒータ１０は中仕切前端部の前部断熱材１１と化粧カバー９との間に挟着されているので、化粧カバー９は、該結露防止ヒータ１０の加熱により暖められ、結露を防止している。
【０００６】
【発明が解決しようとする課題】
しかしながら、従来の中仕切５に備えた結露防止ヒータ１０は、リード線１０ａとの接続部１０ｂは絶縁のため結露防止ヒータ１０より太い絶縁チューブを挿入し、挿入開口部は溶着して固定している。そのため化粧カバー９に貼付ける際、結露防止ヒータ１０と接続部１０ｂとは段差が生じ化粧カバー９に密着させることができず、化粧カバー９を均一に暖めることが出来なかった。
【０００７】
更に、近年冷蔵庫は有効内容積アップを図るため、中仕切５を細く形成しなければならず、結露防止ヒータ１０を貼るスペースが少なく、結露防止ヒータ１０に対する接続部１０ｂが占める割合が大きくなるため、前述したとおり化粧カバー９を均一に暖めることができず、十分な結露防止にはならないという問題があった。
【０００８】
この発明は、かかる問題点を解消するためになされたもので、結露防止ヒータを化粧カバーに密着させて、化粧カバーに結露が生じない冷蔵庫を提供することを目的とする。
【０００９】
【課題を解決するための手段】
この発明に係る冷蔵庫は、冷蔵庫本体と、この本体の外郭を形成する外箱と、本体の内壁を形成する内箱と、外箱と内箱との間の空間に断熱材を充填発泡して形成した箱体を上下に区画し、前端部に凹部を設けた中仕切と、この中仕切の前端部に設けられた化粧カバーと、この化粧カバーの裏面に設けられ、該化粧カバーが結露しないように加熱する、アルミ箔上にはわせてなる結露防止ヒータと、この結露防止ヒータと接続される本体側のリード線と、結露防止ヒータとリード線とを接続し、アルミ箔からはずして凹部に収納された接続部と、結露防止ヒータの裏面に設けられ、結露防止ヒータを化粧カバーに密着させると共に、凹部を閉塞する前部断熱材とを備えたことを特徴とする。
【００１０】
また、この発明に係る冷蔵庫は、冷蔵庫本体と、この本体の外郭を形成する外箱と、本体の内壁を形成する内箱と、外箱と内箱との間の空間に断熱材を充填発泡して形成した箱体を上下に区画する中仕切と、この中仕切の前端部に設けられた化粧カバーと、この化粧カバーの裏面に設けられ、化粧カバーが結露しないように加熱する、アルミ箔上にはわせてなる結露防止ヒータと、この結露防止ヒータの裏面に設けられ、結露防止ヒータを化粧カバーに密着させると共に、切欠き部を有する前部断熱材と、結露防止ヒータと接続される本体側のリード線と、結露防止ヒータと前記リード線とを接続し、アルミ箔からはずして切欠き部に収納された接続部とを備えたことを特徴とする。
【００１１】
また、この発明に係る冷蔵庫は、冷蔵室を有する冷蔵庫本体と、冷蔵室の開口部を２枚の扉によって開閉する観音開き式の扉装置と、冷蔵室を気密に保つために一方の扉の非枢支側に設けられ、前端部に凹部を有する仕切体と、この仕切体の前端部に設けられた化粧カバーと、この化粧カバーの裏面に設けられ、該化粧カバーが結露しないように加熱する、アルミ箔上にはわせてなる結露防止ヒータと、結露防止ヒータと接続される本体側のリード線と、結露防止ヒータとリード線とを接続し、アルミ箔からはずして凹部に収納された接続部と、結露防止ヒータの裏面に設けられ、結露防止ヒータを化粧カバーに密着させると共に、凹部を閉塞する前部断熱材とを備えたことを特徴とする。
【００１２】
【発明の実施の形態】
実施の形態１．
以下、この発明の実施の形態１を図について説明する。
図１はこの発明の実施の形態１による冷蔵庫の部分外観図、図２は図１のＡ−Ａ線断面図、図３は実施の形態１によるヒータ外観図である。
この冷蔵庫は上から冷蔵室、切替え室、野菜室、冷凍室の順番で構成されおり、切替え室と野菜室の間に充填発泡後、中仕切５を取付け区画している。
図１、２、３において、中仕切５はプラスチック製の中仕切上板６と中仕切下板７と、その間に発泡スチロフォームの中仕切断熱材８を挟んで構成され、中仕切５の前端部には鋼板製の化粧カバー９を装着させ、化粧カバー９の裏面にはリード線１０ａとの接続部１０ｂをアルミ箔からはずした結露防止ヒータ１０を貼付け、更に結露防止ヒータ１０の裏面に前部断熱材１１を配置させ、中仕切５と化粧カバー９で挟着している。
【００１３】
そして、中仕切５の前端部に凹部５ａを設け、前記結露防止ヒータ１０のリード線１０ａとの接続部１０ｂを前部断熱材１１の下に折り返し、前記凹部５ａに収納させ前部断熱材１１は独立気泡で硬めのＰＥ製を用い、結露防止ヒータ１０を化粧カバー９に密着させるとともに、接続部１０ｂを収納した凹部５ａを閉塞し、切替え室への熱による影響を与えない構造としている。
【００１４】
また、結露防止ヒータ１０への給電は、外箱２と内箱３との間に充填発泡された断熱材４の中に埋設された本体側リード線(図示せず)と、結露防止ヒータ１０側のリード線１０ａを中仕切断熱材８の中を通し(図示せず)、野菜室内背面で両者をコネクタにてジョイントしている。
【００１５】
上述の実施の形態によれば、結露防止ヒータ１０とリード線１０ａとの接続部１０ｂが化粧カバー９に突出せず、結露防止ヒータ１０全面が化粧カバー９に密着するので均一に暖められ、化粧カバー９の結露を確実に防止できる。
【００１６】
実施の形態２．
以下、この発明の実施の形態２を図について説明する。
図４はこの発明の実施の形態２による冷蔵庫の部分外観図、図５は図４のＢ−Ｂ線断面図である。
図４、５において、結露防止ヒータ１０と化粧カバー９は実施の形態１と同様で、前部断熱材１１の一部に切欠き部１１ａを設け、前記結露防止ヒータ１０とリード線１０ａとの接続部１０ｂを前記切欠き部１１ａに収納させている。
【００１７】
上述の実施の形態２によれば、実施の形態１と同様、結露防止ヒータ１０とリード線１０ａとの接続部１０ｂが化粧カバー９に突出せず、結露防止ヒータ１０全面が化粧カバー９に密着するので均一に暖められ、化粧カバー９の結露を確実に防止できる。
【００１８】
実施の形態３．
以下、この発明の実施の形態３を図について説明する。
図６はこの発明の実施の形態３による冷蔵庫の外観図、図７は実施の形態３による観音開き扉の構造図、図８は実施の形態３による観音開き扉の動作図、図９は実施の形態３による観音開き扉の部分拡大図である。
図６、７、８、９において、冷蔵庫本体１に形成した冷蔵室１８の開口部１８ａ前面にそれぞれ一端側を枢支した第１及び第２の扉１５、１６を開閉可能に設け、これらの両扉１５、１６の内面周縁部に、それぞれマグネットガスケット１５ａ、１６ａを設けている。両扉１５、１６のうち、一方の第２の扉１６の非枢支側の内面には、上下方向に延びる柱状の仕切体１７を支持部材１９を介して回動可能に設け、その仕切体１７の上下両端部に一端が開放した円弧状をなすガイド溝２０を形成している(図には一方のみ示している)。
【００１９】
また、上記支持部材１９部分には第２の扉１６の閉鎖状態で仕切体１７が側方に張り出すように付勢するねじりコイルばね２１を設けている。そして、開口部１８ａの上下両縁部にはガイド溝２０に対して相対的に出入りするガイドピン２２を設けている(これも一方のみ示している)。
【００２０】
次に扉開閉動作について説明する。第１及び第２の扉１５、１６が実線で示すように共に閉鎖された状態では、ガイドピン２２がガイド溝２０に侵入して仕切体１７が側方へ張り出した状態に保持されている。また、この状態で第１及び第２の扉１５、１６の各マグネットガスケット１５ａ、１６ａが開口部１８ａの周縁部及び仕切体１７の前面１７ａに吸着して冷蔵室１８内を気密にシールするようになっている。
【００２１】
この閉鎖状態から、第２の扉１６を開放動作させるとガイドピン２２がガイド溝２０に沿って相対的に摺動することに伴い、二点鎖線で示されるように仕切体１７がマグネットガスケット１５ａ、１６ａから離間しながら後向きとなるように回動され、ガイドピン２２がガイド溝２０から退出した状態となる。
【００２２】
また、開放状態の第２の扉１６を閉鎖する場合には、開放動作の時とは逆にガイド溝２０の開口端がガイドピン２２に嵌合してガイドピン２２がガイド溝２０に沿って相対的に摺動することに伴い、仕切体１７が側方へ張り出すように回動されて閉鎖状態となる。
【００２３】
このような構成の仕切体１７の中に結露防止ヒータ１０を備え、実施の形態１と同様、結露防止ヒータ１０とリード線１０ａとの接続部１０ｂを仕切体１７の中に設けた凹部５ａに収納させている。
【００２４】
上述の実施の形態３によれば、実施の形態１と同様、結露防止ヒータ１０は、化粧カバー９の裏面全体に密着するので、化粧カバー９は均一に暖められる。
【００２５】
【発明の効果】
以上説明したようにこの発明によれば、結露防止ヒータとリード線との接続部が化粧カバーに突出せず、結露防止ヒータ全面が化粧カバーに密着するので、化粧カバーが均一に暖められ、化粧カバーの結露を確実に防止できる。
【図面の簡単な説明】
【図１】  この発明の実施の形態１による冷蔵庫の部分外観図である。
【図２】  図１のＡ−Ａ線断面図である。
【図３】  実施の形態１によるヒータ外観図である。
【図４】  この発明の実施の形態２による冷蔵庫の部分外観図である。
【図５】  図４のＢ−Ｂ線断面図である。
【図６】  この発明の実施の形態３による冷蔵庫の外観図である。
【図７】  実施の形態３による観音開き扉の構造図である。
【図８】  実施の形態３による観音開き扉の動作図である。
【図９】  実施の形態３による観音開き扉の部分拡大図である。
【図１０】  従来の冷蔵庫の断面図である。
【図１１】  従来の冷蔵庫の部分外観図である。
【図１２】  従来のヒータ外観図である。
【符号の説明】
１  冷蔵庫本体、２  外箱、３  内箱、４  断熱材、５  中仕切、５ａ  凹部、６  中仕切上板、７  中仕切下板、８  中仕切断熱材、９  化粧カバー、１０結露防止ヒータ、１０ａ  リード線、１０ｂ  接続部、１１  前部断熱材、１１ａ  切欠き部、１２  アルミテープ、１３、１４  仕切壁、１５  第１の扉、１６  第２の扉、１７  仕切体、１７ａ  仕切体前面、１８  冷蔵室、１８ａ  開口部、１９  支持部材、２０  ガイド溝、２１  ねじりコイルばね、２２  ガイドピン。
【図１】
0003836600.tif 000002
【図２】
0003836600.tif 000003
【図３】
0003836600.tif 000004
【図４】
0003836600.tif 000005
【図５】
0003836600.tif 000006
【図６】
0003836600.tif 000007
【図７】
0003836600.tif 000008
【図８】
0003836600.tif 000009
【図９】
0003836600.tif 000010
【図１０】
0003836600.tif 000011
【図１１】
0003836600.tif 000012
【図１２】
0003836600.tif 000013